(57)【特許請求の範囲】
【請求項１】
ドアの開閉動作に連動して相対回転する二部材と、上記一方の部材に固定された上記二部材間の枢軸となる枢着軸と、上記枢着軸に対して軸方向に移動可能にかつ回転可能に外挿された外挿体と、上記外挿体と上記一方の部材との対向部に介在するセレーション部と、上記外挿体と上記他方の部材とが所定の位置関係に達したところで、両者のそれ以上の相対回転を規制するストッパ機構と、上記枢着軸に対して軸方向に移動可能に取り付けられた上記外挿体に対向する押え部材と、上記押え部材を上記枢着軸の軸方向に移動させて上記セレーション部の噛合及び離反を選択的に保持するロック機構とを具備したドアクローザのストップ装置において、上記セレーション部が横セレーション部と縦セレーション部の双方で構成され、前記横セレーション部は上記対向部としての上記外挿体の端面と上記一方の部材の端面とに放射状に形成され、前記縦セレーション部は上記対向部としての上記外挿体の内周面と上記一方の部材の外周面とに形成されると共に前記外挿体及び前記一方の部材の円筒形の母線に沿って延びることを特徴とするドアクローザのストップ装置。
【発明の詳細な説明】
【０００１】
【発明の属する技術分野】
本発明は、ドアを開放状態で保持するためのドアクローザのストップ装置に関する。
【０００２】
【従来の技術】
特開平１１−５０７３９号公報、特許第２８８２５２６号公報、特開平１１−３０３５０１号公報は、ドアクローザのストップ装置について開示する。これらのドアクローザのストップ装置はいずれもドアの開閉動作に連動して相対回転する二部材と、一方の部材に固定された二部材間の枢軸となる枢着軸と、枢着軸に対して軸方向に移動可能にかつ回転可能に外挿された外挿体と、外挿体と一方の部材との対向部に介在するセレーション部と、外挿体と他方の部材とが所定の位置関係に達したところで、両者のそれ以上の相対回転を規制するストッパ機構と、枢着軸に対して軸方向に移動可能に取り付けられた、外挿体に対向する押え部材と、押え部材を枢着軸の軸方向に移動させてセレーション部の噛合及び離反を選択的に保持するロック機構とを具備している。
【０００３】
これらのドアクローザのストップ装置は、セレーション部として横セレーション部又は縦セレーション部のいずれか一方を備える。横セレーション部は、円上に多数の放射状の溝を有するもので、外挿体の端面とこれに対向する一方の部材の端面とに形成される。また、縦セレーション部は、円筒上にその母線に沿って多数の溝を有するもので、外挿体の内周面とこれに対向する一方の部材の外周面とに形成される。特開平１１−５０７３９号公報のストップ装置は、横セレーション部又は縦セレーション部のいずれか一方を備え、特許第２８８２５２６号公報のストップ装置は、横セレーション部のみを備え、特開平１１−３０３５０１号公報のストップ装置は、縦セレーション部のみを備える。
【０００４】
【発明が解決しようとする課題】
横セレーション部のみを有するストップ装置では、ドアの開閉に伴うストップ入解除時に円周方向の荷重が板カムである外挿体に掛かると、横セレーションに浮き上がる力が発生し、外挿体を押さえているロック機構のボルトやハンドルが緩んだりする場合がある。
【０００５】
また、縦セレーション部のみを有するストップ装置では、ドアの開閉に伴うストップ入解除時に円周方向の荷重が板カムである外挿体に掛かると、内外セレーションの遊びによりストップ入解除音が発生しやすい。また、縦セレーションの強度を持たせるためセレーションの長さをある程度必要とするので、ストップ角度設定時に外挿体を縦方向すなわち枢着軸の軸方向に大きく移動させる必要があり、ストップ角度設定時における外挿体の移動量の低減が望まれていた。
【０００６】
【課題を解決するための手段】
上記課題を解決するため、請求項１に係る発明は、ドア（１）の開閉動作に連動して相対回転する二部材（４，５）と、上記一方の部材（４又は５）に固定された上記二部材（４，５）間の枢軸となる枢着軸（８）と、上記枢着軸（８）に対して軸方向に移動可能にかつ回転可能に外挿された外挿体（１３）と、上記外挿体（１３）と上記一方の部材（４又は５）との対向部に介在するセレーション部と、上記外挿体（１３）と上記他方の部材（５又は４）とが所定の位置関係に達したところで、両者のそれ以上の相対回転を規制するストッパ機構（１６等）と、上記枢着軸（８）に対して軸方向に移動可能に取り付けられた上記外挿体（１３）に対向する押え部材（２１）と、上記押え部材（２１）を上記枢着軸（８）の軸方向に移動させて上記セレーション部の噛合及び離反を選択的に保持するロック機構（２４，２５等）とを具備したドアクローザのストップ装置において、上記セレーション部が横セレーション部（１４ａ，１４ｂ）と縦セレーション部（３９ａ，３９ｂ）の双方で構成され、前記横セレーション部（１４ａ，１４ｂ）は上記対向部としての上記外挿体（１３）の端面と上記一方の部材（４又は５）の端面とに放射状に形成され、前記縦セレーション部（３９ａ，３９ｂ）は上記対向部としての上記外挿体（１３）の内周面と上記一方の部材（４又は５）の外周面とに形成されると共に前記外挿体及び前記一方の部材の円筒形の母線に沿って延びるドアクローザのストップ装置を採用する。
【０００７】
【発明の実施の形態】
次に、本発明の実施の形態について図面を参照して説明する。
【０００８】
＜実施の形態１＞
図１に示すように、ドアクローザは、ドア１の上部に装着されるドアクローザ本体２と、ドア１の周囲に設けられたドア枠３の上枠に下方から固定されるブラケット４とを有している。ブラケット４には角筒状のストップリンク５の一端が回動自在に連結される。ストップリンク５の他端には伸縮リンク６が摺動可能に装着され、その伸縮リンク６の先端はアーム７の一端と回動自在に連結される。アーム７の他端はドアクローザ本体２の回転軸に連結される。
【０００９】
図２、図３、図４、図７及び図８に示すように、ドアクローザのストップ装置は、ドア１の開閉動作に連動して相対回転する二部材を具備する。この実施の形態では一方の部材はブラケット４が対応し、他方の部材はストップリンク５が対応する。
【００１０】
一方の部材であるブラケット４には、二部材間の枢軸となる枢着軸８が固定される。ブラケット４はドア枠３から略水平方向に突出し、枢着軸８はブラケット４の水平な先端部から垂直下方に突出する。ブラケット４の先端部には下方向に垂直に伸びるセレーション軸９が固着され、このセレーション軸９に形成された雌ネジに枢着軸８の上端部に形成された雄ネジが螺合する。この雄ネジはブラケット４を上方に貫通し、ブラケット４の上面に当てられる調整板１０と螺合する。ブラケット４は雌雄のネジを介してセレーション軸９の上端と調整板１０の下面とで上下から挟み込まれ、枢着軸８は同じく雌雄のネジを介してブラケット４に垂直に固定される。なお、枢着軸８はブラケット４にセレーション軸９を介して又は直接に接着剤等により固着してもよく、その場合は調整板１０を省略することができる。
【００１１】
他方の部材であるストップリンク５がブラケット４に連結される端には、貫通穴が垂直方向に形成され、すり割り溝１１が貫通穴と交差するように水平方向すなわちストップリンク５の軸方向に形成される。ストップリンク５の端はすり割り溝１１により上腕５ａと下腕５ｂとに二分割される。枢着軸８はストップリンク５の貫通穴を上下に貫通し、枢着軸８と一体のセレーション軸９がブッシュである軸受１２を介しストップリンク５の上腕５ａの貫通穴内に回転可能に支持される。
【００１２】
ストップリンク５のすり割り溝１１には板カムである外挿体１３が挿入される。外挿体１３は同時に枢着軸８に対し回転可能に外挿される。すり割り溝１１は外挿体１３の厚さよりも幅広に形成され、そのため外挿体１３は枢着軸８に対してその軸方向に移動可能である。
【００１３】
ストップ装置は外挿体１３と一方の部材であるブラケット４との間に両者間を係脱するためのセレーション部を備えるが、図５乃至図８に示すように、このセレーション部は横セレーション部１４ａ，１４ｂと縦セレーション部３９ａ，３９ｂの双方で構成される。
【００１４】
すなわち、この実施の形態では、横セレーション部１４ａ，１４ｂが外挿体１３と一方の部材であるブラケット４側のセレーション軸９との対向部に形成される。対向部は外挿体１３の端面とこれに対向する一方の部材であるブラケット４の端面とで構成され、各端面に多数の横セレーション溝が放射状に形成される。また、縦セレーション部３９ａ，３９ｂも外挿体１３と一方の部材であるブラケット４側のセレーション軸９との対向部に形成される。この対向部は、ストップリンク５の貫通穴に挿入されるセレーション軸９の太筒部の下端からすり割り溝１１内に突出する細筒部４０の外周面と、この細筒部４０を受容する外挿体１３の貫通穴の内周面とで構成される。これらの円筒形の対向部上に多数の縦セレーション溝が円筒形の母線に沿うように形成される。これにより、外挿体１３が枢着軸８上を上方向に移動すると、縦セレーション部３９ａ，３９ｂと横セレーション部１４ａ，１４ｂの双方が夫々噛み合い、外挿体１３がブラケット４と一体化される。逆に、外挿体１３が枢着軸８上を下方向にスライドすると縦セレーション部３９ａ，３９ｂと横セレーション部１４ａ，１４ｂの双方がそれぞれ離反し、外挿体１３はブラケット４に対し枢着軸８を支点にして回動可能になる。
【００１５】
ストップリンク５の内部には、このストップリンク５と外挿体１３とが所定の位置関係に達したところで、両者のそれ以上の相対回転を規制するストッパ機構が設けられている。すなわち、ストップリンク５にはその中心軸に沿ってトンネル状の空洞１５が形成され、この空洞１５がストップリンク５の前端からすり割り溝１１へと通じている。空洞１５がすり割り溝１１に連通する箇所には鋼製のボール１６が設けられ、このボール１６に外挿体１３の先端のカム片１３ａが係合するようになっている。ボール１６は空洞１５内に挿入された弾性部材である圧縮コイルバネ１７によりすり割り溝１１の方に付勢される。圧縮コイルバネ１７の圧縮力は空洞１５内に形成された雌ネジに螺合する調整ネジ１８を螺進退させることで調整可能である。ドア１の開閉に伴い、ストップリンク５と外挿体１３とが相対回転すると、外挿体１３のカム片１３ａがボール１６に係合したり、係合を解除したりする。外挿体１３がボール１６と係合するとドア１はその開かれた角度位置に静止し、ドア１に閉方向に力が加えられるとボール１６が外挿体１３のカム片１３ａを乗り越えドア１が閉じる。
【００１６】
ストップリンク５の空洞１５の雌ネジには伸縮リンク６の雄ネジが螺合し、伸縮リンク６を空洞１５の雌ネジに対し螺進退させることによりストップリンク５の長さを加減することができる。
【００１７】
ストップリンク５のすり割り溝１１により分割された下腕５ｂ側の貫通穴内には、ブッシュである軸受１９を介し筒状の押さえ部材２１がスライド可能に挿入される。枢着軸８はこの押さえ部材２１の中心を上下に貫通する。また、セレーション軸９の細筒部４０が枢着軸８と押さえ部材２１との隙間に挿入され、押え部材２１は枢着軸８と細筒部４０の双方に対してスライド可能である。押え部材２１の下端がストップリンク５の下腕５ｂより下方に突出した箇所には、弾性部材である皿座金４１が枢着軸８を囲むように当てられる。また、押え部材２１の下端にはストップリンク５の下腕５ｂに当接する鍔部４２が形成され、押え部材２１が下腕５ｂから上方向に抜けるのを阻止する。
【００１８】
枢着軸８の下端と押え部材２１の下端との間には、押え部材２１を枢着軸８の軸方向に移動させて横セレーション部１４ａ，１４ｂ及び縦セレーション部３９ａ，３９ｂの噛合と離反を選択的に保持するロック機構が設けられている。ロック機構は、枢着軸８の下端部に枢着軸８に直角に挿入されるピン２３により軸支されるカム２４と、カム２４に一体的に設けられた操作レバー２５とを具備する。カム２４は上記弾性部材である皿座金４１を介し押え部材２１の下面に接触する。カム２４は例えば板カムであり、図７及び図８に示すように操作レバー２５を二位置間で切り換えることにより押え部材２１の押圧を解き縦横のセレーション部３９ａ，３９ｂ，１４ａ，１４ｂを夫々離反させるか又は押え部材２１を上方向に押圧して縦横のセレーション部３９ａ，３９ｂ，１４ａ，１４ｂを夫々噛み合わせるようなカム曲線を有する。
【００１９】
次に、上記構成を備えたドアクローザのストップ装置の作用について説明する。
【００２０】
図８に示すように、ロック機構の操作レバー２５をロック位置に操作すると、ロック機構のカム２４が皿座金４１を介し押え部材２１を上方に押圧し、押え部材２１の上端が外挿体１３を押し上げ、押え部材２１の鍔部４２がストップリンク５を押し上げる。
【００２１】
これにより、外挿体１３側の横セレーション部１４ａとブラケット４側の横セレーション部１４ｂとが噛み合うと共に外挿体１３側の縦セレーション部３９ａとブラケット４側の縦セレーション部３９ｂとが噛み合ってブラケット４と外挿体１３とが連結され一体化される。
【００２２】
図１乃至図３から明らかなように、この状態でドア１が開かれると、ブラケット４に対してストップリンク５が回転し、それに伴ってストップリンク５に内蔵されたボール１６が外挿体１３のカム片１３ａの外周面上を移動する。そして、ドア１の開度が所定位置に達した時点でボール１６がカム片１３ａの嵌合凹部と嵌合し、ドア１の閉方向の復帰が阻止される。ドア１を閉じる場合はドア１を軽く押すことでボール１６がカム片１３ａの嵌合凹部から離脱し、ドア１はドアクローザの作用により自動的に閉じる。
【００２３】
ドア１の開度を変更する場合は、図３及び図７に示すように、ロック機構の操作レバー２５をピン２３の廻りでアンロック側に回転させればよい。
【００２４】
ロック機構の操作レバー２５がアンロック位置へと操作されると、押え部材２１、外挿体１３及びストップリンク５が自重により下方に移動する。これにより、縦横のセレーション部３９ａ，３９ｂ，１４ａ，１４ｂの噛み合いが外れる。
【００２５】
この状態で外挿体１３を枢着軸８の廻りに所望角度回転させ、その後に操作レバー２５をロック位置に復帰させ、再度縦横のセレーション部３９ａ，３９ｂ，１４ａ，１４ｂを噛み合わせることにより、ドア１の停止位置すなわちボール１６と外挿体１３のカム片１３ａとが嵌合するときのドア１の開度を変化させることができる。ロック状態においてセレーション軸９と外挿体１３は縦横二種類のセレーション部３９ａ，３９ｂ，１４ａ，１４ｂにより係合することになるので、両者の係合力が高められ、ドア１の停止位置が適正に定められる。
【００２６】
＜実施の形態２＞
この実施の形態２におけるドアクローザのストップ装置は、図９乃至図１２で示される。
【００２７】
図９、図１１及び図１２に示すように、この実施の形態２におけるドアクローザのストップ装置は、実施の形態１における枢着軸８がセレーション軸９で代替されている。
【００２８】
また、図９乃至図１２に示すように、ロック機構は締め付けボルト４３を備え、この締め付けボルト４３がストップリンク５の下腕５ｂの下側からセレーション軸９の方へと挿入され、その雄ネジがセレーション軸９の雌ネジと螺合している。締め付けボルト４３のボルト頭４３ａとストップリンク５の下腕５ａとの間にはリング状の押え板４４とバネ座金４５が介在している。押え板４４は押え部材２１と下腕５ｂの双方の下面に当たるようになっている。バネ座金４５はボルト頭４３ａと押え板４４との間に挿入され、必要に応じて押え板４４とバネ座金４５との間に押え板４４のカバー４６が設けられる。押え板４４は押え部材２１と別体になっているが、もちろん一体で構成することもできる。
【００２９】
次に、このドアクローザのストップ装置の作用について説明する。
【００３０】
図１２に示すように、ロック機構の締め付けボルト４３をロック位置へと螺入すると、ボルト頭４３ａがバネ座金４５、カバー４６及び押え板４４を介し押え部材２１を上方に押圧し、押え部材２１の上端が外挿体１３を押し上げ、また、押え板４４がストップリンク５を押し上げる。
【００３１】
これにより、外挿体１３側の横セレーション部１４ａとブラケット４側の横セレーション部１４ｂとが噛み合うと共に外挿体１３側の縦セレーション部３９ａとブラケット４側の縦セレーション部３９ｂとが噛み合ってブラケット４と外挿体１３とが連結され一体化される。
【００３２】
この状態でドア１が開かれると、ブラケット４に対してストップリンク５が回転し、それに伴ってストップリンク５に内蔵されたボール１６が外挿体１３のカム片１３ａの外周面上を移動する。そして、ドア１の開度が所定位置に達した時点でボール１６がカム片１３ａの嵌合凹部と嵌合し、ドア１の閉方向の復帰が阻止される。ドア１を閉じる場合はドア１を軽く押すことでボール１６がカム片１３ａの嵌合凹部から離脱し、ドア１はドアクローザの作用により自動的に閉じる。
【００３３】
ドア１の開度を変更する場合は、図９及び図１１に示すように、ロック機構の締め付けボルト４３をアンロック側に緩めればよい。
【００３４】
ロック機構の締め付けボルト４３がアンロック位置へと操作されると、押え部材２１、外挿体１３及びストップリンク５が自重により下方に移動する。これにより、縦横のセレーション部３９ａ，３９ｂ，１４ａ，１４ｂの噛み合いが外れる。
【００３５】
この状態で外挿体１３を枢着軸であるセレーション軸９の廻りに所望角度回転させ、その後に締め付けボルト４３をロック位置に螺入し、再度縦横のセレーション部３９ａ，３９ｂ，１４ａ，１４ｂを噛み合わせることにより、ドア１の停止位置すなわちボール１６と外挿体１３のカム片１３ａとが嵌合するときのドア１の開度を変化させることができる。ロック状態においてセレーション軸９と外挿体１３は縦横二種類のセレーション部３９ａ，３９ｂ，１４ａ，１４ｂにより係合することになるので、両者の係合力が高められ、ドア１の停止位置が適正に定められる。
【００３６】
＜実施の形態３＞
図１３及び図１４に示すように、この実施の形態３におけるドアクローザのストップ装置においては、ストップリンク５のすり割り溝１１により分割された下腕５ｂ側の貫通穴内には、ブッシュである軸受１９を介しガイド筒２０がスライド可能に支持され、さらにガイド筒２０内に筒状の押さえ部材２１がスライド可能に挿入される。枢着軸８はこの押さえ部材２１の中心を上下に貫通する。ガイド筒２０の上端は外挿体１３の下面に対向し、押え部材２１の上部はガイド筒２０よりも低い位置で外挿体１３の下面に対向する。ガイド筒２０は押え部材２１に対し、押え部材２１は枢着軸８に対しその軸方向にスライドしつつ移動可能である。ガイド筒２０及び押え部材２１の下端がストップリンク５の下腕５ｂより下方に突出した箇所には夫々鍔部が形成され、両鍔部間には弾性部材である波座金２２が挿入されている。押え部材２１が枢着軸８上を上方向にスライドすると、押え部材２１に支えられるガイド筒２０の上端が外挿体１３を押し上げ、その結果縦横のセレーション部３９ａ，３９ｂ，１４ａ，１４ｂが夫々係合し、逆に押え部材２１が枢着軸８上を下方向にスライドすると、押え部材２１に支えられるガイド筒２０の上端が外挿体１３から離反し、その結果縦横のセレーション部３９ａ，３９ｂ，１４ａ，１４ｂの係合が解かれる。
【００３７】
なお、ガイド筒２０は省略可能であり、押え部材２１によって直接外挿体１３の昇降を行うこともできる。その場合、弾性部材である波座金２２は例えば押え部材２１とロック機構との間に設けられる。
【００３８】
ロック機構は実施の形態１におけるものと同様なものが採用される。このロック機構によりスライド筒２０又は押え部材２１を直接外挿体１３に押し付けるようにすると操作レバー２５上のカム２４に大きな反力が加わり、ドア１のストップ位置を変更する際にロック機構のロック・アンロックに大きな操作力を必要とする。この実施の形態３においてはこれを防止するため、次のような構成が採用される。
【００３９】
すなわち、押え部材２１と外挿体１３と枢着軸８の三者間にはこれら三者に接するように転がり部材２６が挿入される。また、枢着軸８側には、ロック機構により縦横のセレーション部３９ａ，３９ｂ，１４ａ，１４ｂが夫々噛合する時に押え部材２１と共に転がり部材２６を拘束しロック機構により縦横のセレーション部３９ａ，３９ｂ，１４ａ，１４ｂが離反する時に転がり部材２６を解放する逃げ部２８が形成される。また、押え部材２１側には、ロック機構によりセレーション部１４ａ，１４ｂが噛合する時に枢着軸８の逃げ部２８と共に転がり部材２６を拘束して転がり部材２６を押え部材２１に対し枢着軸８に垂直方向に押圧しロック機構によりセレーション部１４ａ，１４ｂが離反する時に転がり部材２６を解放する逃げ部２７が形成される。
【００４０】
押え部材２１側の逃げ部２７は、枢着軸８との間の摺接面を環状に切除することにより形成される環状凹部として形成され、枢着軸８の摺接面に正対する環状壁２７ａを有し、外挿体１３に対向する箇所に環状の開口を有する。環状壁２７ａは枢着軸８の軸方向に平行な壁面を有する例えば円筒壁であるのが望ましいが、円錐台状に多少傾斜していてもよい。枢着軸８側の逃げ部２８は、押え部材２１との間の摺接面を環状に切除することにより環状凹溝として形成される。また、図１３及び図１４に示すように、押え部材２１側の逃げ部２７の深さすなわち環状壁２７ａと枢着軸８の摺接面との間の幅は転がり部材２６の半径よりもやや大きく、枢着軸８側の逃げ部２８の深さは転がり部材２６の半径よりもやや小さく、両者の深さを合わせると転がり部材２６の直径に略等しくなるように形成される。
【００４１】
これにより、図１３に示すように、ロック機構がアンロック状態とされ両逃げ部２７，２８がずれるときは転がり部材２６が両逃げ部２７，２８による挟持から解放される。このアンロック状態では、転がり部材２６は両逃げ部２７，２８から押し出された状態で押え部材２１と枢着軸８とで支えられ、この転がり部材２６の上に枢着軸８上を下方にスライドしセレーション軸９から離れた外挿体１３が乗り上がる。
【００４２】
また、図１４に示すようにロック機構がロック状態とされ両逃げ部２７，２８が重なり合うときは転がり部材２６が両逃げ部２７，２８により挟持され拘束される。このロック状態では、横セレーション部１４ａ，１４ｂが噛み合うことにより、転がり部材２６には押え部材２１と外挿体１３と枢着軸８の三者から力が作用し、これら三力が釣り合う。そして、押え部材２１に作用する力は、環状壁２７ａを介し枢着軸８の軸方向に垂直に作用し、軸方向には作用しないので、ロック機構には直接作用しなくなり、ロック機構のアンロックを極めて小さな操作力で行うことができる。
【００４３】
転がり部材２６は、例えば鋼製のボール又はローラであり、多数のボール又はローラが両逃げ部２７，２８間に環状に配置される。
【００４４】
次に、上記構成を備えたドアクローザのストップ装置の作用について説明する。
【００４５】
図１４に示すように、ロック機構の操作レバー２５をロック位置に操作すると、ロック機構のカム２４が押え部材２１を外挿体１３側へと押し上げ、まず、ガイド筒２０が弾性部材である波座金２２を介し押え部材２１により押し上げられ、その上端が外挿体１３の下面に当接する。縦横のセレーション部３９ａ，３９ｂ，１４ａ，１４ｂは波座金２２の弾性の作用により相互に押し付けられるので、円滑に噛み合うことになる。続いて、押え部材２１の逃げ部２７と枢着軸８の逃げ部２８とが重なり合って転がり部材２６を挟み込み、転がり部材２６は外挿体１３をセレーション軸９側へと押し付ける。
【００４６】
これにより、外挿体１３側の縦横のセレーション部３９ａ，１４ａとブラケット４側の縦横のセレーション部３９ｂ，１４ｂとが強く噛み合ってブラケット４と外挿体１３とが連結され一体化される。
【００４７】
ドア１の開度を変更する場合は、図１３に示すように、ロック機構の操作レバー２５をピン２３の廻りでアンロック側に回転させればよい。上述したように横レーション部１４ａ，１４ｂの噛み合いにより、押え部材２１には転がり部材２６と環状壁２７ａとの接触により枢着軸８に垂直な方向に力が作用するが、枢着軸８の軸方向には力が作用しないので、ロック機構にはロックによる大きな力が直接作用しない。従って、操作レバー２５のアンロック操作は小さな力で簡易に行われる。
【００４８】
ロック機構の操作レバー２５が、図１３に示すように、アンロック位置へと操作されると、押え部材２１及びガイド筒２０が自重により下方に移動する。これにより、押え部材２１の逃げ部２７が枢着軸８の逃げ部２８からずれ、転がり部材２６は両逃げ部材２７，２８による挟持から解放され、押え部材２１と共に降下する。従って、外挿体１３は転がり部材２６による押圧から解放されてすり割り溝１１内を枢着軸８に沿って降下し、縦横のセレーション部３９ａ，３９ｂ，１４ａ，１４ｂの各噛み合いが外れる。
【００４９】
この状態で外挿体１３を枢着軸８の廻りに所望角度回転させ、その後に操作レバー２５をロック位置に復帰させ、再度縦横のセレーション部３９ａ，３９ｂ，１４ａ，１４ｂを噛み合わせることにより、ドア１の停止位置すなわちボール１６と外挿体１３のカム片１３ａとが嵌合するときのドア１の開度を変化させることができる。
【００５０】
＜実施の形態４＞
図１５に示すように、この実施の形態４におけるドアクローザのストップ装置では、ロック機構が、押え部材２１の下面に形成された端面カム３０と、枢着軸８の下端部に枢着軸８の周りに回転可能に保持された操作ノブ３１とを具備する。操作ノブ３１における端面カム３０に対向する箇所には突起３２が形成されている。
【００５１】
操作ノブ３１を図１５（Ｂ）において実線で示すロック位置から二点鎖線で示すアンロック位置に回すと、その突起３２が端面カム３０のリフト位置から外れ、押え部材２１が操作ノブ３１の突起３２による押圧から解放されて枢着軸８上を降下し、外挿体１３及びセレーション軸９も降下し、縦横のセレーション部３９ａ，３９ｂ，１４ａ，１４ｂの夫々の噛み合いが解かれる。
【００５２】
次に、外挿体１３をセレーション軸９と共に枢着軸８の回りで所望角度だけ回転させ、操作ノブ３１を図１５（Ｂ）において二点鎖線で示すアンロック位置から実線で示すロック位置に回すと、その突起３２が端面カム３０のリフト位置へと移動し、押え部材２１が操作ノブ３１の突起３２により押圧されて枢着軸８上を上昇し、外挿体１３及びセレーション軸９も上昇し、セレーション部１４ａ，１４ｂが再び噛み合う。
【００５３】
＜実施の形態５＞
図１６に示すように、この実施の形態５におけるドアクローザのストップ装置では、ロック機構としてネジが使用される。すなわち、枢着軸８の下端部には雄ネジ３３が形成され、この雄ネジ３３にナット３４の雌ネジが螺合している。ナット３４を枢着軸８上でロック位置とアンロック位置との間を螺進退させることにより、縦横のセレーション部３９ａ，３９ｂ，１４ａ，１４ｂの各噛み合いと離反とを切り換えることができる。ナット３４は単なるナットのほか蝶ナット等を用いることもできる。
【００５４】
なお、上記各実施の形態においてストップ装置はブラケット４とストップリンク５との間に設けられているが、これに限定されるものではなく、例えば伸縮リンク６とアーム７との間、あるいはアーム７とドアクローザ本体２との間に設けてもよい。
【００５５】
また、上記各実施の形態ではドア１を閉めたときにドア１と伸縮リンク６やアーム７とが略平行となるいわゆるパラレルタイプのドアクローザについて説明したが、伸縮リンク６やアーム７がドア１に対してほぼ直交するいわゆるスタンダードタイプのドアクローザにも本発明を適用することができる。
【００５６】
【発明の効果】
従来の横セレーション部のみを備えるストップ装置では、ストップ入解除時の外挿体に掛かる円周方向の荷重を横セレーションが受けると浮き上がる力が発生し、外挿体を押さえているロック機構のボルトやハンドルが緩む等の不具合が発生する場合があったが、請求項１に係る発明によれば、円周方向の荷重に強い縦セレーション部を横セレーション部に合体させる事で横セレーション部の浮き上がりすなわち離反を適正に防止することができる。また、従来ストップ角度設定時に横セレーション部の噛み合いが不充分な状態でロック機構をロック操作すると噛み合いが不充分な状態のまま締め込んでしまい、横セレーション部の噛み合い不足が発生し、横セレーション部から異音が発生したり摩耗する事があったが、請求項１に係る発明によれば、円周方向に対して垂直に立ち上がっている縦セレーション部を合体させる事で、縦セレーション部の噛み合いにより横セレーション部の噛み合い位置を案内させ、確実に横セレーション部を噛み合わせる事が出来る。
【００５７】
また、従来の縦セレーション部のみを備えるストップ装置では、縦セレーション部に円周方向の荷重を受けると内外セレーション溝の遊びによりストップ入解除音が発生する場合があったが、請求項１に係る発明によれば、円周方向にガタツキが無い横セレーションを合体させる事でストップ入解除音を適正に解消することが出来る。また、縦セレーション部は強度上、セレーション溝の長さがある程度必要な為、ストップ角度設定時に二部材の一方を縦方向に大きく移動させる必要があったが、請求項１に係る発明によれば、横セレーション部を合体させることで外挿体に掛かる円周方向の荷重を分担することが出来るため、強度上必要であった縦セレーション部の全長を短くすることが可能になり、二部材の一方の縦方向の移動量を少なくすることが出来る。
【図面の簡単な説明】
【図１】本発明のストップ装置が組み込まれたドアクローザの全体を示す斜視図である。
【図２】ドアクローザのストップリンクとブラケットとの連結部を斜め下方からみた状態を示す斜視図である。
【図３】図２に示した連結部の内部構造を示す断面図である。
【図４】図２に示した連結部の底面図である。
【図５】（Ａ）はセレーション軸を示す半断面図、（Ｂ）はセレーション軸の底面図である。
【図６】（Ａ）は外挿体の平面図、（Ｂ）は外挿体の全断面図である。
【図７】図３に示した連結部の内部構造の拡大図であり、セレーション部が離反した状態を示す。
【図８】図３に示した連結部の内部構造の拡大図であり、セレーション部が噛合した状態を示す。
【図９】本発明明の実施の形態２に係るドアクローザの連結部の内部構造を示す断面図である。
【図１０】図９に示した連結部の底面図である。
【図１１】図９に示した連結部の内部構造の拡大図であり、セレーション部が離反した状態を示す。
【図１２】図９に示した連結部の内部構造の拡大図であり、セレーション部が噛合した状態を示す。
【図１３】本発明の実施の形態３に係るストップ装置を示す縦断面図であり、ロック機構をアンロックした状態を示す。
【図１４】本発明の実施の形態３に係るストップ装置を示す縦断面図であり、ロック機構をロックした状態を示す。
【図１５】本発明の実施の形態４に係るストップ装置を示し、（Ａ）は縦断面図、（Ｂ）は底面図である。
【図１６】本発明の実施の形態５に係るストップ装置を示し、（Ａ）は縦断面図、（Ｂ）は底面図である。
【符号の説明】
１…ドア
４…ブラケット
５…ストップリンク
８…枢着軸
１３…外挿体
１４ａ，１４ｂ…横セレーション部
２１…押え部材
２４…カム
２５…操作レバー
３９ａ，３９ｂ…縦セレーション部
【図１】
0003811360.tif 000002
【図２】
0003811360.tif 000003
【図３】
0003811360.tif 000004
【図４】
0003811360.tif 000005
【図５】
0003811360.tif 000006
【図６】
0003811360.tif 000007
【図７】
0003811360.tif 000008
【図８】
0003811360.tif 000009
【図９】
0003811360.tif 000010
【図１０】
0003811360.tif 000011
【図１１】
0003811360.tif 000012
【図１２】
0003811360.tif 000013
【図１３】
0003811360.tif 000014
【図１４】
0003811360.tif 000015
【図１５】
0003811360.tif 000016
【図１６】
0003811360.tif 000017